(57)【要約】【課題】不織布を重合することなく適正な肩部の形状を容易に整形することができ、かつ通気効果の大きい肩パッドを提供すること。【解決手段】衣服の肩部を整形すると共に、肩部を通して通気が可能な表地の内側に配する肩パッド１０であって、この肩パッド１０は、外縁部１４Ａを有する略長方形状の複数のスリット孔１４Ｂが並設された可撓性樹脂シート１４で構成され、外縁部１４Ａの２カ所を牽引するテープ体１６で可撓性樹脂シート１４が肩部の形状に沿うように湾曲状に保持されている肩パッド。【選択図】図  ２
2006132054.tif 000002
【特許請求の範囲】
【請求項１】
衣服の肩部を整形すると共に、肩部を通して通気が可能な表地又は通気の可能な肩部構造の衣服の内側に配する肩パッドであって、該肩パッドは、可撓性部材の骨組で構成された肩部形状の肩パッド。
【請求項２】
前記肩パッドは、略扇形の外縁部を有し、その内部は略長方形状の複数のスリット孔が並設された可撓性部材から成るシートで構成され、かつ前記外縁部の２カ所を牽引する１本又は数本のテープ体で前記シートが肩部の形状に沿うように前後に湾曲状にした形に保持されている請求項１に記載の肩パッド。
【請求項３】
前記複数のスリット孔はその長寸方向が頸部側と肩峰端部側とを結ぶ方向に向いており、テープ体が該方向に対して直交する方向に配されている請求項２に記載の肩パッド。
【請求項４】
前記複数のスリット孔は外縁部の一内端から外縁部の他内端まで延び、各スリット孔はその中間部が補強材で区画されている請求項２または３に記載の肩パッド。
【請求項５】
前記テープ体はその長さが可調整である請求項２ないし４のいずれかに記載の肩パッド。
【発明の詳細な説明】
【技術分野】
【０００１】
本発明は、衣服の肩部を整形すると共に体熱の放散を助長する、肩部の表地又はこれに相当する構成の布部材（以下、これを単に「表地」という）の内側に配する肩パッドに関する。
【背景技術】
【０００２】
従来の肩パッドは、肩部を整形するために、複数の不織布を積み重ねて肩部に沿う形状を造り、かつ通気性向上のために、この積み重ねた複数の不織布を重合した上で、上下に貫通する多数の通気孔を設けたものが知られている（特許文献１参照）。図７はこのような従来の肩パッドの斜視図であり、この肩パッドは、半円形状に形成した不織布片１、肩峰端部２を厚く構成した不織布片４，５，６を重合し、不織布片１の表面１ａから不織布片６の底面６ａまで貫通する円形状の通気孔８を多数穿設したものである。従来のこの肩パッドは、不織布の形状、厚みの設定、積み重ね枚数等を調整して適正な肩部の形状を整形することができると共に、通気孔から熱が放散されるので、夏用の清涼ジャケットの肩部のパットとして用いられている。
【０００３】
【特許文献１】実願昭５２−１４６４４４号（実開昭５４−７２９３４号公報）のマイクロフィルム（第１，２図参照）
【発明の開示】
【発明が解決しようとする課題】
【０００４】
しかしながら上記特許文献１に記載の従来の肩パッドは人体肩部に密着状態で使用され、また、通気孔からの熱気の移動方向が上下方向のみであるので、通気効果にも限界がある。さらに、形状が異なる多数の不織布を用意してこれらを重合しなければならず、コストと手間が掛かるものであった。
【０００５】
本発明は、このような問題点に着目して成されたもので、不織布を重合することなく適正な肩部の形状を容易に整形することができ、かつ通気効果の大きい肩パッドを提供することを目的とする。
【課題を解決するための手段】
【０００６】
上記課題を解決するために、前記肩パッドは、可撓性部材の骨組で構成された肩部形状となっている。
このようにすれば、本発明の肩パッドは、衣服の肩部を整形すると共に、その上下面、左右面及び外端面にも十分な空隙を確保することにより通気孔が形成されるので通気効果が顕著である。
【０００７】
本発明の肩パッドにおいて、前記肩パッドは、略扇形の外縁部を有し、その内部は略長方形状の複数のスリット孔が並設された可撓性部材から成るシート（例えば、可撓性樹脂シート）で構成され、かつ前記外縁部の２カ所を牽引する１本又は数本のテープ体で前記可撓性樹脂シートが肩部の形状に沿うように湾曲状に保持されている。
このようにすれば、前記肩パッドは可撓性樹脂シートとテープ体だけで肩部の形状に容易に追従でき、かつ略長方形状のスリット孔を介して通気効果の向上を図ることができる。
【０００８】
本発明の肩パッドにおいて、前記複数のスリット孔はその長寸方向が頸部側と肩峰端部側とを結ぶ方向に向いており、テープ体が該方向に対して直交する方向に配されていることが好ましい。
このようにすれば、スリット孔の長寸方向が頸部側と肩峰端部側とを結ぶ方向に向いているので、直交方向に配したテープ体の牽引により、可撓性樹脂シートが肩部の形状に沿うように湾曲し易い。
【０００９】
本発明の肩パッドにおいて、前記複数のスリット孔は外縁部の一内端から外縁部の他内端まで延び、各スリット孔はその中間部が補強材で区画されていることが好ましい。
このようにすれば、補強材の介在により可撓性樹脂シートの剛性を調整することができる。
【００１０】
本発明の肩パッドにおいて、前記テープ体はその長さが可調整であることが好ましい。
このようにすれば、テープ体の長さを変えることにより、可撓性樹脂シートの湾曲度合いを変更することができる。
【発明を実施するための最良の形態】
【００１１】
本発明の実施例を以下に説明する。
【実施例１】
【００１２】
以下、本発明の実施例を図１ないし図５に基づいて説明する。図１は肩パッドが衣服の表地（仮想線で図示）の肩部の内側に装着された状態を示す側面図、図２はテープ体牽引後の肩パッドの斜視図、図３はテープ体牽引前の同肩パッドの平面図、図４は長さを可調整とするため前記テープ体を２分割したテープ片の拡大図、図５は前記２分割したテープ片を牽引接合したテープ体により構成された肩パッドの側面図である。また図６は肩パッドを衣服に着用した時の空気の流れを示す模式図である。
【００１３】
図１において、肩パッド１０は表地１２の内側の肩部１２ａに縫合されている。肩パッド１０は可撓性樹脂シート１４とテープ体１６で構成され、図２に示すように、テープ体１６により可撓性樹脂シート１４が肩部の形状に沿うように湾曲状に曲げられている。なお、前記可撓性部材は例えば可撓性樹脂、弾性金属（含、可撓性を有する形状記憶合金）、その他適宜の動植物可撓性部材でもよい。
【００１４】
肩パッド１０について、図２乃至図３により詳述すると、可撓性樹脂シート１４は、図３に示すように、外縁部１４Ａを有する略長方形状の複数のスリット孔１４Ｂが並設されたシートであり、また補強材１５が各スリット孔１４Ｂを区画するように延在している。そしてテープ体１６は樹脂製であり、これが一体に構成されている場合、その両端は外縁部１４Ａの左右側部に取り付けられる。また、スリット孔１４Ｂの長寸方向が頸部側と肩峰端部側とを結ぶ方向（図３におけるａ−ａ方向）にほぼ向いているので、この方向に対して前記テープ体がほぼ直交する方向に可撓性樹脂シート１４を牽引し、該シート１４が肩部の形状に沿うように湾曲して形成される。
【００１５】
また、前記テープ体１６を２分割した樹脂製のテープ片１６Ａ，１６Ｂで構成されている場合、該テープ片１６Ａ，１６Ｂは外縁部１４Ａの左右側端に取り付けられている。
そして、図４，５に示すように、テープ片１６Ａ，１６Ｂの一方側には、それぞれシート１４の外縁部１４Ａの左右側部に係脱自在に取り付けられる係止部１６ａ，１６ｂが形成され、テープ片１６Ａ，１６Ｂの他方側のテープ面上には、それぞれ面ファースナ１６ｃ，１６ｃが形成されている。
【００１６】
テープ片１６Ａ，１６Ｂの他方側をそれぞれ牽引して面ファースナ１６ｃ，１６ｃ同士を接合させると、図５に示すように、可撓性樹脂シート１４は湾曲状に曲げられる。この場合、湾曲度合いは面ファースナ１６ｃ，１６ｃの接合位置によって異なり、面ファースナ１６ｃ，１６ｃは任意の位置で接合可能であるから、肩部の形状に沿うよう最適な湾曲状に曲げることができる。
なお、面ファースナ１６ｃは必要によりテープ片１６Ａのいずれかの面、或いはテープ片１６Ｂのいずれかの面に設ける。
【００１７】
次に、肩部の形状に沿うよう曲げられた肩パッド１０を衣服の肩部に装着した時の空気の流れについて、図６に基づき説明する。前身頃の表地２０と後身頃の表地２２は肩部のところで縫合され、この縫合部の表地２０，２２の内側（又は表地と裏地の間）に、肩パッド１０は移動しないように、従来周知の方法で縫合されている。
【００１８】
人体から放熱される熱によって、暖かく湿った空気が下から上に上昇し一部は前身頃の表地２０と後身頃の表地２２を通して胸側と背中側から放出されると共に、滞留しがちな肩部のところからも、矢印Ｘで示すように、肩パッド１０を通して放出される。そしてスリット孔１４Ｂが従来のような小さな貫通孔でなく、可撓性樹脂シート１４の外縁部１４Ａまで延びる略長方形状のスリット孔１４Ｂであるので、通気量も多く放熱効果が高い。
【００１９】
即ち、肩パッド１０に比較的大きく形成されている複数のスリット孔１４Ｂから暖かく湿った空気が、矢印Ｘで示すように上方に向けて放出されると共に、前合わせや衿の開いた部分、そして後身頃の表地２２を通して放出される。特に、肩パッド１０を取り付けた肩部の表地がメッシュで構成された夏服では、盛夏に衣服を着用しても蒸れが少ない。
さらに、肩パッド１０の外端面は開口となっているので、腕（袖部）及び脇に沿って上昇した暖かく湿った空気も、前記肩パッドの外端面の開口から該肩パッドを通して矢印Ｘで示すように放出されるので放熱効果が高い。
【００２０】
以上、本発明の実施形態を図面により説明してきたが、具体的な構成はこれら実施例に限られるものではなく、例えば、スリット孔１４Ｂを区画する補強材１５は図１，図２では１本であったが、複数本設けて可撓性樹脂シート１４の剛性を高めるようにしても良い。また、テープ片１６Ａ，１６Ｂの接合に面ファースナ１６ｃ，１６ｃを用いたが、テープ片の長さが調節できるように任意の位置で接合できればどのような構成であってもよく、例えばクリップを用いてテープ片を接合しても良い。
【００２１】
更に、スリット孔１４Ｂの長寸方向が頸部側と肩峰端部側とを結ぶ方向に向いた実施例で説明しているが、頸部側と肩峰端部側とを結ぶ方向に対してスリット孔１４Ｂの長寸方向が直交する方向に向いていても構わない。重要なことは湾曲した肩パッドに対して上下方向にも左右方向にも、また肩パッドの外端面の方向から上方向、左右方向にも蒸れた熱気が放出できれば向きは問わない。したがってスリット孔の形状も三角形、或は円形に近い形状であっても構わない。
【図面の簡単な説明】
【００２２】
【図１】肩パッドが衣服の肩部表地に取り付けられた状態を示す側面図である。
【図２】テープ体牽引後の肩パッドの斜視図である。
【図３】テープ体牽引前の同肩パッドの平面図である。
【図４】２分割されたテープ片の一方の拡大図である。
【図５】前記２分割したテープ片を牽引接合したテープ体により構成された肩パッドの側面図である。
【図６】肩パッドを衣服に着用した時の空気の流れを示す模式図である。
【図７】従来の肩パッドの斜視図である。
【符号の説明】
【００２３】
１０・・・肩パッド
１２・・・表地
１２ａ・・・肩部
１４・・・可撓性樹脂シート
１４Ａ・・・外縁部
１４Ｂ・・・スリット孔
１５・・・補強材
１６・・・テープ体
１６Ａ，１６Ｂ・・・テープ片
１６ａ，１６ｂ・・・係止部
１６ｃ・・・面ファースナ
２０・・・前身頃の表地
２２・・・後身頃の表地
【図１】
2006132054.tif 000003
【図２】
2006132054.tif 000004
【図３】
2006132054.tif 000005
【図４】
2006132054.tif 000006
【図５】
2006132054.tif 000007
【図６】
2006132054.tif 000008
【図７】
2006132054.tif 000009